(57)【特許請求の範囲】
【請求項１】
白色光を出力する光源と、光源よりの緑光を反射し赤光および青光を透過する第１ダイクロイックミラーと、第１ダイクロイックミラーよりの緑光のｓ偏光成分を反射する第１偏光ビームスプリッタと、第１偏光ビームスプリッタよりの緑光を入射し、変調・反射し第１偏光ビームスプリッタを透過して出力する緑色用反射型液晶板と、前記第１ダイクロイックミラーよりの赤光および青光のｓ偏光成分を反射しｐ偏光成分を透過する第２偏光ビームスプリッタと、第２偏光ビームスプリッタよりのｓ偏光成分を青光透過フィルタを介して入射し、変調・反射し第２偏光ビームスプリッタを透過して出力する青色用反射型液晶板と、前記第２偏光ビームスプリッタよりのｐ偏光成分を赤光透過フィルタを介して入射し、変調・反射し第２偏光ビームスプリッタで反射して出力する赤色用反射型液晶板と、前記第１偏光ビームスプリッタよりの緑色の映像光を透過すると共に第２偏光ビームスプリッタよりの青色および赤色の映像光を反射する第１ダイクロイックプリズムと、第１ダイクロイックプリズムよりの映像光をスクリーンに投写する投写レンズとからなる液晶プロジェクタ装置。
【請求項２】
白色光を出力する光源と、光源よりの緑色領域のｓ偏光成分を分離する第３偏光ビームスプリッタと、第３偏光ビームスプリッタよりの光を入射し、変調・反射し第３偏光ビームスプリッタを透過して出力する緑色用反射型液晶板と、第３偏光ビームスプリッタを透過した光のｓ偏光成分を反射しｐ偏光成分を透過する第２偏光ビームスプリッタと、第２偏光ビームスプリッタよりのｓ偏光成分を青光透過フィルタを介して入射し、変調・反射し第２偏光ビームスプリッタを透過して出力する青色用反射型液晶板と、前記第２偏光ビームスプリッタよりのｐ偏光成分を赤光透過フィルタを介して入射し、変調・反射し第２偏光ビームスプリッタで反射して出力する赤色用反射型液晶板と、前記第３偏光ビームスプリッタよりの緑色の映像光を透過すると共に第２偏光ビームスプリッタよりの青色および赤色の映像光を反射する第１ダイクロイックプリズムと、第１ダイクロイックプリズムよりの映像光をスクリーンに投写する投写レンズとからなる液晶プロジェクタ装置。
【請求項３】
前記第２偏光ビームスプリッタの前段に前記第４偏光ビームスプリッタと、偏光ビームスプリッタよりの青色領域のｓ偏光成分を透過し、赤色領域のｓ偏光成分を偏波面を９０°回転してｐ偏光成分に変換する第１・１／２位相差板とを介挿し、第２偏光ビームスプリッタで反射されたｓ偏光成分（青光）を前記青色用反射型液晶板に直接入射し、第２偏光ビームスプリッタを透過したｐ偏光成分（赤光）を前記赤色用反射型液晶板に直接入射するようにした請求項２記載の液晶プロジェクタ装置。
【請求項４】
白色光を出力する光源と、光源よりの光をｓ偏光成分に揃えて出力する第４偏光ビームスプリッタと、第４偏光ビームスプリッタよりの緑光を反射し赤光および青光を透過する第１ダイクロイックミラーと、第１ダイクロイックミラーよりの緑光のｓ偏光成分を反射する第１偏光ビームスプリッタと、第１偏光ビームスプリッタよりの光を入射し、変調・反射し第１偏光ビームスプリッタを透過して出力する緑色用反射型液晶板と、前記第１ダイクロイックミラーよりの青色領域のｓ偏光成分を透過し、赤色領域のｓ偏光成分を偏波面を９０°回転してｐ偏光成分に変換する第１・１／２位相差板と、第１・１／２位相差板よりのｓ偏光成分（青光）を反射しｐ偏光成分（赤光）を透過する第２偏光ビームスプリッタと、第２偏光ビームスプリッタよりのｓ偏光成分を入射し、変調・反射し第２偏光ビームスプリッタを透過して出力する青色用反射型液晶板と、前記第２偏光ビームスプリッタよりのｐ偏光成分を入射し、変調・反射し第２偏光ビームスプリッタで反射して出力する赤色用反射型液晶板と、前記第１偏光ビームスプリッタよりの緑色の映像光を透過すると共に第２偏光ビームスプリッタよりの青色および赤色の映像光を反射する第１ダイクロイックプリズムと、第１ダイクロイックプリズムよりの映像光をスクリーンに投写する投写レンズとからなる液晶プロジェクタ装置。
【請求項５】
白色光を出力する光源と、光源よりの光をｓ偏光成分に揃えて出力する第４偏光ビームスプリッタと、第４偏光ビームスプリッタよりの緑光を透過し赤光および青光を反射する第２ダイクロイックミラーと、第２ダイクロイックミラーよりの緑光のｓ偏光成分を反射する第１偏光ビームスプリッタと、第１偏光ビームスプリッタよりの光を入射し、変調・反射し第１偏光ビームスプリッタを透過して出力する緑色用反射型液晶板と、前記第２ダイクロイックミラーよりの青色領域のｓ偏光成分を透過し、赤色領域のｓ偏光成分を偏波面を９０°回転してｐ偏光成分に変換する第１・１／２位相差板と、第１・１／２位相差板よりのｓ偏光成分（青光）を反射しｐ偏光成分（赤光）を透過する第２偏光ビームスプリッタと、第２偏光ビームスプリッタよりのｓ偏光成分を入射し、変調・反射し第２偏光ビームスプリッタを透過して出力する青色用反射型液晶板と、前記第２偏光ビームスプリッタよりのｐ偏光成分を入射し、変調・反射し第２偏光ビームスプリッタで反射して出力する赤色用反射型液晶板と、前記第１偏光ビームスプリッタよりの緑色の映像光を透過すると共に第２偏光ビームスプリッタよりの青色および赤色の映像光を反射する第１ダイクロイックプリズムと、第１ダイクロイックプリズムよりの映像光をスクリーンに投写する投写レンズとからなる液晶プロジェクタ装置。
【請求項６】
前記赤色用反射型液晶板の前に全波長領域の光を偏波面を９０°回転する第２・１／２波長板を配設し、前記第２偏光ビームスプリッタよりのｐ偏光成分をｓ偏光に変換し、赤色用反射型液晶板に入射し変調・反射して出力するようにした請求項１、２、３、４または５記載の液晶プロジェクタ装置。
【請求項７】
白色光を出力する光源と、光源よりの光をｐ偏光成分に揃えて出力する第５偏光ビームスプリッタと、第５偏光ビームスプリッタよりの赤色領域のｐ偏光成分を偏波面を９０°回転してｓ偏光成分に変換し、青色領域および緑色領域のｐ偏光成分を透過する第１・１／２位相差板と、第１・１／２位相差板よりのｓ偏光成分（赤光）を反射し、ｐ偏光成分（青光および緑光）を透過する第６偏光ビームスプリッタと、第６偏光ビームスプリッタよりのｓ偏光成分を入射し、変調・反射し第６偏光ビームスプリッタを透過して出力する赤色用反射型液晶板と、前記第６偏光ビームスプリッタよりのｐ偏光成分の青光を透過し緑光を反射する第２ダイクロイックプリズムと、第２ダイクロイックプリズムよりの青光を入射し、変調・反射し、第２ダイクロイックプリズムを透過し前記第６偏光ビームスプリッタで反射して出力する青色用反射型液晶板と、第２ダイクロイックプリズムよりの緑光を入射し、変調・反射し、第２ダイクロイックプリズムおよび前記第６偏光ビームスプリッタで反射して出力する緑色用反射型液晶板と、第６偏光ビームスプリッタよりの映像光をスクリーンに投写する投写レンズとからなる液晶プロジェクタ装置。
【請求項８】
前記赤色用反射型液晶板の前に全波長領域の光を偏波面を９０°回転する第２・１／２波長板を配設し、前記第２ダイクロイックプリズムよりのｓ偏光成分をｐ偏光に変換し、赤色用反射型液晶板に入射し、変調・反射し出力するようにした請求項７記載の液晶プロジェクタ装置。
【発明の詳細な説明】
【０００１】
【発明の属する技術分野】
本発明は反射型液晶板を用いた液晶プロジェクタ装置に係り、狭帯域偏光ビームスプリッタあるいは狭帯域位相差板等を用いることにより部品点数を削減し小型化するものに関する。
【０００２】
【従来の技術】
反射型液晶板を用いた液晶プロジェクタ装置には、例えば、図１０に示すように、光源１からの白色光をレンズアレイ２、４およびレンズ５で集光し、ダイクロイックミラー７１および７２で赤、緑および青の三色に分離し、偏光ビームスプリッタ（ＰＢＳ）７４Ｒ、７４Ｇおよび７４Ｂで各色光のｓ偏光成分をそれぞれ分離し、赤、緑および青色用の反射型液晶板１０Ｒ′、１０Ｇおよび１０Ｂにそれぞれ入射し、各反射型液晶板で変調し反射出力される各色のｐ偏光の映像光をクロスダイクロイックプリズム７５で合成し、投写レンズ１２でスクリーンに投写するもので、このように比較的高価なクロスダイクロイックプリズムを必要とする他、赤、緑および青の各色光に分離された後の各光路に反射型液晶板を干渉しないようにレイアウトしなければならないため、筐体の容積が大きくなるという問題があった。
【０００３】
【発明が解決しようとする課題】
本発明はこのような点に鑑み、フィルタを用いることによりダイクロイックミラーの数を減らし、狭帯域特性のＰＢＳを用いることにより色分離性能を持たせ、あるいは狭帯域特性を有する１／２相差板を用いる等により、装置の小型化および部品点数の削減を図ることを目的とする。
【０００４】
【課題を解決するための手段】
上記目的を達成するため、本発明の液晶プロジェクタ装置においては、白色光を出力する光源と、光源よりの緑光を反射し赤光および青光を透過する第１ダイクロイックミラーと、第１ダイクロイックミラーよりの緑光のｓ偏光成分を反射する第１ＰＢＳと、第１ＰＢＳよりの緑光を入射し、変調・反射し第１ＰＢＳを透過して出力する緑色用反射型液晶板と、前記第１ダイクロイックミラーよりの赤光および青光のｓ偏光成分を反射しｐ偏光成分を透過する第２ＰＢＳと、第２ＰＢＳよりのｓ偏光成分を青光透過フィルタを介して入射し、変調・反射し第２ＰＢＳを透過して出力する青色用反射型液晶板と、前記第２ＰＢＳよりのｐ偏光成分を赤光透過フィルタを介して入射し、変調・反射し第２ＰＢＳで反射して出力する赤色用反射型液晶板と、前記第１ＰＢＳよりの緑色の映像光を透過すると共に第２ＰＢＳよりの青色および赤色の映像光を反射する第１ダイクロイックプリズムと、第１ダイクロイックプリズムよりの映像光をスクリーンに投写する投写レンズとから構成する。
【０００５】
また、前記光源よりの緑色領域のｓ偏光成分を分離する第３ＰＢＳを設け、第３ＰＢＳよりの光を前記緑色用反射型液晶板に入射し、変調・反射し第３ＰＢＳを透過して出力するようにしてもよい。
【０００６】
あるいは、前記第２ＰＢＳの前段に第４ＰＢＳと、青色領域のｓ偏光成分を透過し、赤色領域のｓ偏光成分を偏波面を９０°回転してｐ偏光成分に変換する第１・１／２位相差板とを介挿し、第２ＰＢＳで反射されたｓ偏光成分（青光）を青色用反射型液晶板に直接入射し、第２ＰＢＳを透過したｐ偏光成分（赤光）を赤色用反射型液晶板に直接入射し、青色用および赤色用のフィルタを用いないようにしてもよい。
【０００７】
または、前記光源よりの光をｓ偏光成分に揃える第４ＰＢＳを設け、第４ＰＢＳよりの光を前記第１ダイクロイックミラーに入射するようにし、第１ダイクロイックミラーよりの光を前記第１・１／２位相差板を介し第２ＰＢＳに入射し、第２ＰＢＳでｓ偏光成分（青光）を反射しｐ偏光成分（赤光）を透過するようにし、第２ＰＢＳよりのｓ偏光成分を青色用反射型液晶板に入射し、変調・反射し第２ＰＢＳを透過して出力し、第２ＰＢＳよりのｐ偏光成分を赤色用反射型液晶板に入射し、変調・反射し第２ＰＢＳで反射して出力するようにしてもよい。
【０００８】
または、前記第４ＰＢＳよりの緑光を透過し赤光および青光を反射する第２ダイクロイックミラーを設け、第２ダイクロイックミラーよりの緑光を前記第１ＰＢＳを介して緑色用反射型液晶板に入射し、青光および赤光を前記第１・１／２位相差板に入射するようにしてもよい。
【０００９】
なお、赤色用反射型液晶板の前に全波長領域の光を偏波面を９０°回転する第２・１／２波長板を配設し、第２ＰＢＳよりのｐ偏光成分をｓ偏光に変換することにより、赤色用反射型液晶板に青色用、緑色用と同じｓ偏光入射型を用いるようにできる。
【００１０】
さらには、前記光源よりの光をｐ偏光成分に揃えて出力する第５ＰＢＳを設け、第１・１／２位相差板を設けて第５ＰＢＳよりの赤色領域のｐ偏光成分を偏波面を９０°回転してｓ偏光成分に変換し、青色領域および緑色領域のｐ偏光成分を透過し、第６ＰＢＳを設けて第１・１／２位相差板よりのｓ偏光成分（赤光）を反射し、ｐ偏光成分（青光および緑光）を透過させ、第２ダイクロイックプリズムを設けて第６ＰＢＳよりのｐ偏光成分の青光を透過し、緑光を反射させ、第６ＰＢＳよりのｓ偏光成分を赤色用反射型液晶板に入射し、第２ダイクロイックプリズムよりの青光を青色用反射型液晶板に、緑光を緑色用反射型液晶板にそれぞれ入射し、各反射型液晶板で変調・反射された映像光を第６ＰＢＳを介し投写レンズでスクリーンに投写するようにしてもよい。
【００１１】
この場合、赤色用反射型液晶板の前に第２・１／２波長板を配設し、第６ＰＢＳよりのｓ偏光成分をｐ偏光に変換することにより、赤色用反射型液晶板に青色用、緑色用と同じｐ偏光入射型を用いるようにできる。
【００１２】
【発明の実施の形態】
発明の実施の形態を実施例に基づき図面を参照して説明する。
図１、図２、図４、図７および図９はそれぞれ本発明による液晶プロジェクタ装置の実施例の要部構成図、図６および図８は部分構成図である。
【００１３】
図１において、１はメタルハライドランプ等を用いた白色光を発光する光源、２および４はレンズアレイ、３は全反射ミラー、５は集光レンズ、６は緑光を反射し赤光および青光を透過する第１ダイクロイックミラー、７および８は第１ＰＢＳおよび第２ＰＢＳで、図３（イ）に示す広帯域特性を持つもので、入射光の全波長範囲（赤から青まで）のｓ偏光成分を反射しｐ偏光成分を透過する。９Ｒは赤光を透過する赤光透過フィルタ、９Ｂは青光を透過する青光透過フィルタ、１０Ｇはｓ偏光入射型の緑色用、１０Ｂはｓ偏光入射型の青色用、１０Ｒはｐ偏光入射型の赤色用の反射型液晶板、１１は緑光を透過し青光および赤光を反射する第１ダイクロイックプリズム、１２は投写レンズである。
【００１４】
光源１よりの自然偏光の白色光は全反射ミラー３を挟む二組のレンズアレイ２、４および集光レンズ５で集光され、第１ダイクロイックミラー６に入射し、緑光を反射し、青光および赤光を透過する。緑光は第１ＰＢＳ７に入射し、ｓ偏光成分を反射し、緑色用反射型液晶板１０Ｇに入射し、緑色映像信号で変調した映像光を反射出力する。この映像光はｐ偏光であるから第１ＰＢＳ７を透過し、第１ダイクロイックプリズム１１を透過する。第１ダイクロイックミラー６を透過した青光および赤光は第２ＰＢＳ８に入射し、ｓ偏光成分を反射しｐ偏光成分を透過する。このｓ偏光成分は青色透過用フィルタ９Ｂを通った青色光のみが青色用反射型液晶板１０Ｂに入射し、青色映像信号で変調した映像光を反射出力する。この映像光はｐ偏光であるから第２ＰＢＳ８を透過し、第１ダイクロイックプリズム１１で反射される。また第２ＰＢＳ８よりのｐ偏光成分は赤色透過用フィルタを通った赤色光のみが赤色用反射型液晶板１０Ｒに入射し、赤色映像信号で変調した映像光を反射出力する。この映像光はｓ偏光であるから第２ＰＢＳ８で反射され、第１ダイクロイックプリズム１１で反射され、緑および青の映像光と共に投写レンズ１２によりスクリーンに投写される。このように、一つの光路で青色および赤色を処理するので光路が一つ不要となり、装置を小型にでき、かつ、クロスダイクロイックプリズムを用いず（ダイクロイックプリズムを用いる）、ダイクロイックミラーも一枚で済むのでコストを低減することができる。
【００１５】
図２において、２１および２３は全反射ミラーである。２２は第３ＰＢＳで、図３（ロ）に示す狭帯域特性のもので、入射光の緑色領域のｓ偏光成分を反射し全帯域のｐ偏光成分を透過する。その他の符号は図１と同じであるので説明を省く。
二組のレンズアレイ２、４および集光レンズ５で集光された白色光は第３ＰＢＳ２２に入射し、緑色領域のｓ偏光成分を反射し、緑色用反射型液晶板１０Ｇに入射し、変調し反射された緑色の映像光（ｐ偏光）は第３ＰＢＳ２２を透過し、第１ダイクロイックプリズム１１を透過する。光源よりの緑色のｓ偏光成分以外の光は第３ＰＢＳ２２を透過し、第２ＰＢＳ８に入射する。以降の動作は図１の場合と同じである。このように、狭帯域特性の第３ＰＢＳを用いることにより第３ＰＢＳを透過した光を他の色用に使用でき、ダイクロイックミラーが不要となり、装置の小型化が可能となる。
【００１６】
図４において、３１は光源１よりの光をｓ偏光成分に揃えて出力する第４ＰＢＳで、レンズアレイ４と組合されて機能する。３２は図５（ロ）に示す狭帯域特性の第１・１／２位相差板で、赤色領域の偏波面を９０°回転し、ｓ偏光をｐ偏光に変換する。青色領域のｓ偏光成分は透過する。その他の符号は図１と同じであるので説明を省く。
第４ＰＢＳ３１でｓ偏光成分に揃えた白色光をダイクロイックミラー６に入射し、緑光を反射し、青光および赤光を透過する。反射された緑光（ｓ偏光成分）は第１ＰＢＳ７に入射し、反射され、緑色用反射型液晶板１０Ｇに入射し、他方、ダイクロイックミラー６を透過した光は第１・１／２位相差板３２に入射し、青色領域の光はｓ偏光のまま透過し、赤色領域の光はｐ偏光成分に変換され、青色領域の光と共に第２ＰＢＳ８に入射する。第２ＰＢＳ８はｓ偏光成分を反射して青色用反射型液晶板１０Ｂに入射し、ｐ偏光成分を透過し、赤色用反射型液晶板１０Ｒに入射する。ｓ偏光成分は青色領域の光であるから青色透過フィルタは不要であり、ｐ偏光成分は赤色領域の光であるから赤色透過フィルタは不要である。その他の動作は図１の場合と同じである。このように、光源光の偏波面を第４ＰＢＳで揃えるので、光源の利用率が上がり、投写画像の照度が向上する。
【００１７】
図６は、光源１よりの光を第４ＰＢＳ３１に入射し、ｓ偏光成分に揃え、第３ＰＢＳ２２に入射し、緑色領域のｓ偏光成分を反射し、緑色用反射型液晶板１０Ｇに入射し、他方、第３ＰＢＳ２２を透過した緑色領域以外のｓ偏光成分を第１・１／２位相差板３２に入射するもので、以降の動作は図４の場合と同じである。なお、以上の各実施例において光源１から各反射型液晶板までの距離に差がある場合はリレーレンズ（図示省略）を用いて距離の差を補正し、入射条件が同等になるようにする。
【００１８】
図７は、緑光を透過し青光および赤光を反射する第２ダイクロイックミラー４１を用いるもので、その他は図４と同じであるが、これにより、光源１の位置が図２あるいは図６（光源１を図示省略）と逆になり、投写レンズ１２を左端に配置することができる。また、光源１から各反射型液晶板までの距離が等しくなるので補正のためのリレーレンズが不要になる。
【００１９】
図８は、赤色用反射型液晶板の前に第２・１／２位相差板５１を介挿するもので、この１／２位相差板は図５（イ）に示すように青〜赤の全帯域で偏波面が同一に回転する（ｐ偏光→ｓ偏光、またはその逆）特性を有し、この第２・１／２位相差板５１の介挿により第２ＰＢＳ８からのｐ偏光成分はｓ偏光成分に変換されるので、ｓ偏光入射型の赤色用反射型液晶板１０Ｒ′を用いることができ、他の色用との共通化が可能となる。なお、図８（イ）は図１および図２に適用する場合を示し、図８（ロ）は図４、図６および図７に適用する場合を示す。
【００２０】
図９は、光源１からの光を第５ＰＢＳ６１でｐ偏光成分に揃え、全反射ミラー６２を介して第１・１／２位相差板３２に入射し、赤色領域の偏波面を９０°回転し、ｓ偏光に変換し、他の色の領域は偏波面を回転せず、ｐ偏光のまま透過させる。第１・１／２位相差板３２からの光は第６ＰＢＳ６３に入射し、ｓ偏光成分（赤光）を反射し、赤色用反射型液晶板１０Ｒ′に入射し、ｐ偏光成分（青光および緑光）は透過し、第２ダイクロイックプリズム６４に入射する。第２ダイクロイックプリズム６４は青光を透過し、青色用反射型液晶板１０Ｂに入射し、緑光は第２ダイクロイックプリズム６４で反射され、緑色用反射型液晶板１０Ｒに入射する。各反射型液晶板で変調・反射された映像光は第２ダイクロイックプリズム６４および第６ＰＢＳ６３により合成され、投写レンズ１２によりスクリーンに投写される。なおガラスプリズム６５は単に光を透過するもので、投写レンズ１２からのバックフォーカス位置を他の色と合わせるためのものである。この構成によりＰＢＳを一つ減らすことができる。なお、上記では、赤色用反射型液晶板１０Ｒ′のみがｓ偏光入力型となるので、この前に第２・１／２位相差板を配設し、他の色用と同じｐ偏光入力型を使用するようにしてもよい。
【００２１】
ここで、前記説明中の「第４ＰＢＳ３１に入射してＳ偏光成分に揃える」という作用につき説明する。
第４ＰＢＳ３１は、４５度に傾斜した平行四辺形に形成された小さなＰＢＳのブロックが積もって構成されている。
この第４ＰＢＳ３１に入射した光線は、上記ブロックの傾斜した境界面（膜）でＰ偏光成分は透過、Ｓ偏光成分は反射される。Ｓ偏光成分は再度、上記ブロックの境界面（膜）で反射され、Ｓ偏光成分が第４ＰＢＳ３１を透過する。
一方、Ｐ偏光成分は、第４ＰＢＳ３１の表面に貼られた１／２位相差板に入射する。その際、Ｐ偏光成分はＳ偏光成分に偏光面が変化する。これによって、第４ＰＢＳ３１を透過する光線はすべてＳ偏光成分に揃えられる。
また、以上のことは、１／２位相差板を貼るブロックの位置を変えることにより、Ｐ偏光成分に揃えることも可能である。
なお、上記各実施例ではそれぞれ一つの配置例について説明したが、赤、緑、青の各反射型液晶板を相互に入替えても実施できることは言うまでもない。この場合、各色の反射型液晶板の配置に応じてダイクロイックミラー、ダイクロイックプリズム、フィルタ、狭帯域ＰＢＳあるいは狭帯域１／２位相差板を適宜の特性のものに置き換えるようにする。
【００２２】
【発明の効果】
以上に説明したように、本発明による液晶プロジェクタ装置によれば、フィルタを用い、あるいは狭帯域特性のＰＢＳを用いて色分離性能を持たせ、ダイクロイックミラーの数を減らし、あるいは狭帯域特性を有する１／２相差板を用いる等によりＰＢＳの数を減らすもので、部品点数が減り、装置を小型化し、コストを低減することが可能となる。
【図面の簡単な説明】
【図１】本発明による液晶プロジェクタ装置の一実施例の要部構成図である。
【図２】本発明による液晶プロジェクタ装置の他の実施例の要部構成図である。
【図３】偏光ビームスプリッタ（ＰＢＳ）のｓ波反射特性の説明図である。
【図４】本発明による液晶プロジェクタ装置の他の実施例の要部構成図である。
【図５】１／２位相差板の偏波面回転特性の説明図である。
【図６】本発明による液晶プロジェクタ装置の他の実施例の部分構成図である。
【図７】本発明による液晶プロジェクタ装置の他の実施例の要部構成図である。
【図８】本発明による液晶プロジェクタ装置の他の実施例の部分構成図である。
【図９】本発明による液晶プロジェクタ装置の他の実施例の要部構成図である。
【図１０】従来の液晶プロジェクタ装置の一例の要部構成図である。
【符号の説明】
１  光源
２、４  レンズアレイ
３、２１、２３，６２  全反射ミラー
５  レンズ
６  第１ダイクロイックミラー
７  第１ＰＢＳ
８  第２ＰＢＳ
９Ｒ  赤色透過フィルタ
９Ｂ  青色透過フィルタ
１０Ｒ  赤色用反射型液晶板（ｐ偏光入射型）
１０Ｇ  緑色用反射型液晶板（ｓ偏光入射型）
１０Ｂ  青色用反射型液晶板（ｓ偏光入射型）
１０Ｒ′赤色用反射型液晶板（ｓ偏光入射型）
１１  第１ダイクロイックプリズム
１２  投写レンズ
２２  第３ＰＢＳ
３１  第４ＰＢＳ
３２  第１・１／２位相差板
４１  第２ダイクロイックミラー
５１  第２・１／２位相差板
６１  第５ＰＢＳ
６３  第６ＰＢＳ
６４  第２ダイクロイックプリズム
【図１】
0003622500.tif 000002
【図２】
0003622500.tif 000003
【図３】
0003622500.tif 000004
【図４】
0003622500.tif 000005
【図５】
0003622500.tif 000006
【図６】
0003622500.tif 000007
【図７】
0003622500.tif 000008
【図８】
0003622500.tif 000009
【図９】
0003622500.tif 000010
【図１０】
0003622500.tif 000011